(57)【要約】      （修正有）【課題】ソーラーパネル、ソーラーモジュール、ソーラー組立体用の枠、ならびに構造体に対する太陽光線収集体の容易な設置を可能にする。【解決手段】支持体４２が構造体１４に搭載され、搭載バー４４が支持体４２に取り付けられる。ソーラーパネル１６を保持する各枠は、搭載バー４４または第２の枠と係合するタブ３０を含み、かつ自己位置合わせ案内部を含む。搭載要素は枠を支持体４２に装着するアンカーを受ける。調整可能な連結式の設計によって、隣接するモジュールを乱す必要なしにソーラーモジュールの取り外しが可能になる。【選択図】図１
2010045346.tif 000002
【特許請求の範囲】
【請求項１】
ソーラーパネルを構造体に搭載するための枠であって、
第２の枠または搭載バーと係合するための１つまたは複数のタブを備える第１の側面と、
前記枠を前記構造体上の支持体に装着するためのアンカーを受けるために、少なくとも１つの搭載要素を備える第２の側面とを備える、枠。
【請求項２】
前記枠は、さらに、
前記第２の枠を前記第２の側面に対して位置合わせするための少なくとも１つの案内部を備える、請求項１に記載の枠。
【請求項３】
前記搭載要素は、１つのスロットまたは複数の孔を備え、前記１つのスロットまたは複数の孔は、前記第２の側面に形成される、請求項１に記載の枠。
【請求項４】
構造体に搭載するためのソーラーモジュールであって、
ソーラーパネルと、
前記ソーラーパネルの少なくとも一部分を取り囲み、第１の側面と第２の側面を備える枠であって、前記第１の側面が、第２のソーラーモジュールまたは搭載バーと係合するための１つまたは複数のタブを備え、前記第２の側面が、前記ソーラーモジュールを前記構造体上の支持体に装着するためのアンカーを受けるための少なくとも１つの搭載要素を備える、枠とを備える、モジュール。
【請求項５】
前記モジュールは、さらに、
前記第２のソーラーモジュールを前記第２の側面に対して位置合わせするための少なくとも１つの案内部をさらに備える、請求項４に記載のモジュール。
【請求項６】
前記第１の側面が、間に第１の支持体と第２の支持体を受けるための間隔をあけて配置される３つのタブを有する、請求項４に記載のモジュール。
【請求項７】
前記１つまたは複数のタブが、前記モジュールの下側表面から突出する、請求項４に記載のモジュール。
【請求項８】
前記１つまたは複数のタブが、前記第１の側面と対向する先端部を備え、前記先端部が、前記搭載バーまたは前記第２のソーラーモジュールを固定するためのリップを有する、請求項４に記載のモジュール。
【請求項９】
前記搭載要素は、１つのスロットまたは複数の孔を備え、前記１つのスロットまたは複数の孔は、前記第２の側面に形成される、請求項４に記載のモジュール。
【請求項１０】
構造体に搭載するためのソーラー組立体であって、
前記構造体に装着するための少なくとも１つの支持体と、
前記少なくとも１つの支持体に装着される少なくとも１つの搭載バーと、
第１の側面及び第２の側面を有する第１のソーラーモジュールであって、前記第１の側面は、前記少なくとも１つの搭載バーと係合する１つまたは複数のタブを備え、前記第２の側面は、アンカーを受けるための少なくとも１つの搭載要素を備える、第１のソーラーモジュールと、
前記第１のソーラーモジュールの各搭載要素を前記少なくとも１つの支持体に取り付ける少なくとも１本のアンカーとを備える、組立体。
【請求項１１】
前記組立体は、さらに、
第１の側面及び第２の側面を有する第２のソーラーモジュールであって、前記第２のソーラーモジュールの前記第１の側面は、前記第１のソーラーモジュールの前記第２の側面と係合する１つまたは複数のタブを備え、前記第２のソーラーモジュールの前記第２の側面は、アンカーを受けるための少なくとも１つの搭載要素を備える、第２のソーラーモジュールと、
前記第２のソーラーモジュールの各搭載要素を前記少なくとも１つの支持体に取り付ける少なくとも１本のアンカーとを備える、請求項１０に記載のソーラー組立体。
【請求項１２】
前記第２のソーラーモジュールが、前記第２のソーラーモジュールを前記第１のソーラーモジュールに対して位置合わせする少なくとも１つの案内部を備える、請求項１１に記載の組立体。
【請求項１３】
前記組立体は、さらに、
前記第２のソーラーモジュールに対して配設される、少なくとも１つの追加のソーラーモジュールであって、前記追加のソーラーモジュールは、第１の側面及び第２の側面を有し、前記追加のソーラーモジュールの前記第１の側面は、隣接するソーラーモジュールの第２の側面と係合する１つまたは複数のタブを備え、前記追加のソーラーモジュールの前記第２の側面は、アンカーを受けるための少なくとも１つの搭載要素を備える、追加のソーラーモジュールと、
各追加のソーラーモジュールの各搭載要素を前記少なくとも１つの支持体に取り付ける少なくとも１本のアンカーとを含む、請求項１１に記載の組立体。
【請求項１４】
各ソーラーモジュールが、隣接するモジュールまたは前記少なくとも１つの搭載バーから分離され、かつ前記隣接するモジュールの位置を乱すことを要しない、請求項１１に記載の組立体。
【請求項１５】
各ソーラーモジュールが、前記少なくとも１つの支持体に２本を越えないアンカーで取り付けられる、請求項１４に記載の組立体。
【請求項１６】
構造体にソーラーモジュールのアレーを搭載する方法であって、
少なくとも１つの支持体を前記構造体に取り付けるステップと、
少なくとも１つの搭載バーを前記少なくとも１つの支持体に取り付けるステップと、
第１のソーラーモジュールの第１の側面からの少なくとも１つのタブを前記少なくとも１つの搭載バーと係合させるステップと、
前記第１のソーラーモジュールの第２の側面を、少なくとも１本のアンカーによって前記第２の側面内の搭載要素で前記少なくとも１つの支持体に取り付けるステップと、
第２のソーラーモジュールの第１の側面からの少なくとも１つのタブを前記第１のソーラーモジュールの前記第２の側面と係合させるステップと、
前記第２のソーラーモジュールの第２の側面を、少なくとも１本のアンカーによって前記第２の側面内の搭載要素で前記少なくとも１つの支持体に取り付けるステップとを含む、方法。
【請求項１７】
前記方法は、さらに、
少なくとも１つの追加のソーラーモジュールの第１の側面からの少なくとも１つのタブを、隣接するソーラーモジュールの第２の側面と係合させるステップと、前記少なくとも１つの追加のソーラーモジュールの第２の側面を、少なくとも１本のアンカーによって前記第２の側面内の搭載要素で前記少なくとも１つの支持体に取り付けるステップとを含む、請求項１６に記載の方法。
【請求項１８】
前記方法は、さらに、
前記第２のソーラーモジュールを、前記第１のソーラーモジュールの前記第２の側面上の少なくとも１つの案内部によって、前記第１のソーラーモジュールの前記第２の側面と位置合わせさせるステップを含む、請求項１６に記載の方法。
【請求項１９】
前記方法は、さらに、
１つまたは複数のモジュールを前記少なくとも１つの支持体上に展開させるステップを含む、請求項１６に記載の方法。
【請求項２０】
前記方法は、さらに、
前記隣接するソーラーモジュールの位置を乱すことを要せずにソーラーモジュールを取り外すステップをさらに含む、請求項１７に記載の方法。
【発明の詳細な説明】
【技術分野】
【０００１】
本発明は、ソーラーモジュールを容易に設置するための、また、隣接するモジュールを乱す必要なくソーラー（太陽電池）組立体からソーラーモジュールを取り外すための、調整可能な連結枠を有するソーラーモジュールに関する。
【０００２】
本出願は２００８年７月２４日出願の米国特許仮出願第６１／０８３，３６３号の優先権の利益を主張し、その全体は参照により本明細書に明確に組み込まれている。
【背景技術】
【０００３】
ソーラーモジュール用の従来型の枠は、連結または部分的に重なり合わず、むしろ互いに当接し、少なくとも２つの異なる側面に適用するための搭載機器または留め具を必要とする。従来型モジュールは、１モジュール当たり少なくとも４本のねじを必要とし、しばしばそれより多くによって固定される。いくつかの知られたソーラーモジュールは調整可能性を欠き、現場設置中の変動を可能にしない。他の知られたソーラーモジュールは、設置中変更を可能にするためにドリル穴あけまたは鋸引きを必要とする。知られたソーラーモジュールは、モジュールを展開することはできず、作業者は傾斜した屋根の上に不安定に乗りながら、モジュールを位置決めしそれをアンカー留めすることが必要になる。知られたソーラーモジュールは、修繕または交換を可能するために隣接するモジュールを乱すまたは少なくとも緩めることを必要とする。
【発明の概要】
【発明が解決しようとする課題】
【０００４】
より少ない留め具および容易な設置を伴う調整可能なソーラーモジュールが求められかつ所望されている。設置中に展開できかつ隣接するモジュールを乱す必要なく容易な取り外しを可能にするソーラーモジュールも求められかつ所望されている。
【課題を解決するための手段】
【０００５】
本発明は、自己位置合わせ案内部を有するかつ／または設置のために鋸引きまたはドリル穴あけを必要としないなどの、容易な設置および容易な取り外しを伴うソーラーモジュール用の調整可能な連結枠に関する。本発明は、最小限の量の機器および／または屋根貫通で構造体に搭載されるソーラーパネルおよびソーラーモジュール用の枠にも関する。
【０００６】
本発明のこれらのおよび他の態様は、ソーラーパネルを構造体に搭載するための枠によって少なくとも部分的に達成される。この枠は、第２の枠または搭載バーと係合する１つまたは複数のタブを有する第１の側面と、構造体上の支持体に枠を装着するためにアンカーを受けるための少なくとも１つの搭載要素を有する第２の側面とを含む。
【０００７】
一実施形態によれば、本発明は構造体に搭載するためのソーラーモジュールも含む。このモジュールは、ソーラーパネルとソーラーパネルの少なくとも一部分を取り囲む枠とを含む。この枠は第１の側面と第２の側面を備え、第１の側面は第２のソーラーモジュールまたは搭載バーと係合するための１つまたは複数のタブを有し、第２の側面はソーラーモジュールを構造体上の支持体に装着するためのアンカーを受けるための少なくとも１つの搭載要素を有する。
【０００８】
一実施形態によれば、本発明は構造体に搭載するためのソーラー組立体も含む。この組立体は、構造体に装着するための少なくとも１つの支持体と、少なくとも１つの支持体に装着される搭載バーと、搭載バーと係合する１つまたは複数のタブを含む第１の側面およびアンカーを受けるための少なくとも１つの搭載要素を含む第２の側面を有する第１のソーラーモジュールとを含む。この組立体は、第１のソーラーモジュールの各搭載要素を少なくとも１つの支持体に取り付ける少なくとも１本のアンカーをさらに含む。
【０００９】
一実施形態によれば、本発明は構造体にソーラーモジュールのアレーを搭載する方法も含む。この方法は、少なくとも１つの支持体を構造体に取り付けるステップと、搭載バーを少なくとも１つの支持体に取り付けるステップと、第１のソーラーモジュールの第１の側面からの少なくとも１つのタブを搭載バーと係合させるステップと、第１のソーラーモジュールの第２の側面を、少なくとも１本のアンカーによって第１のソーラーモジュールの第２の側面内の搭載要素で少なくとも１つの支持体に取り付けるステップと、第２のソーラーモジュールの第１の側面からの少なくとも１つのタブを第１のソーラーモジュールの第２の側面と係合させるステップと、第２のソーラーモジュールの第２の側面を、少なくとも１本のアンカーによって第２の側面内の搭載要素で少なくとも１つの支持体に取り付けるステップとを含む。
【００１０】
本発明の上記のかつ他の特徴および態様は、図面を考慮して行われる以下の詳細な説明からよりよく理解される。
【図面の簡単な説明】
【００１１】
【図１】一実施形態によるソーラー組立体および支持体の図である。
【図１Ａ】一実施形態による支持体の図である。
【図２】一実施形態による搭載バーの部分斜視図である。
【図３】一実施形態によるタブを有する枠の図である。
【図３Ａ】一実施形態によるタブを有する枠の図である。
【図４】一実施形態によるソーラーモジュールの部分斜視図である。
【図５】一実施形態によるソーラーモジュールの部分斜視図である。
【図６】一実施形態による第１のソーラーモジュールおよび第２のソーラーモジュールの部分斜視図である。
【図７】一実施形態による図６の図と反対側の部分斜視図である。
【図８】一実施形態によるソーラー組立体の部分斜視図である。
【図９】一実施形態によるソーラーアレーの上面図である。
【発明を実施するための形態】
【００１２】
一実施形態によれば本発明は、隣接するモジュールと部分的に重なり合う１つまたは複数のタブを使用するなどの、容易な設置を有しかつ隣接するモジュールを乱す必要なしに個々のモジュールの取り外しを可能にするソーラーモジュール用の調整可能な枠に関する。乱すことには、隣接するモジュールからアンカーを取り外すことおよび／または隣接するモジュールを緩めることまたは物理的な位置を変更することが含まれる。容易な設置、設置の容易さおよび／または簡単な設置は、完成した組立体またはアレーへの取り付け前に屋根または構造体上でモジュールを展開させる能力を含むことができる。容易な設置は、各ソーラーモジュールを装着するための、約２個などのアンカーの数を減らすことも含むことができる。さらに容易な設置は、１つまたは複数の案内部またはナブによって容易にされる自己調整式モジュールを含むことができる。
【００１３】
一実施形態によれば、かつ図１および図１Ａに示すように、支持体４２は、屋根、建物および／または任意の他の適切な場所などの構造体１４上にまたは構造体に装着され、アンカー留めされ、取り付けかつ／または固定されることができる。この支持体４２は、任意の適切な形状、材料、数および／またはサイズ、例えば調整可能な溝形態を含むことができる。釘、ねじ、ボルト、ナット、ワッシャー、リベットおよび／または留め具などの任意の適切な取り付け機器（図示せず）を、この支持体を搭載するために使用することができる。屋根材料を通る貫通部を減らしそれによって漏れの潜在的可能性を最小限にするために、取り付け機器の数を最小限にするのが望ましい。通常、スプリングナットまたはスプリングボルトなどの１つまたは複数の位置決め可能なアンカー５６を支持体に搭載することができる。
【００１４】
一実施形態によれば、２つの支持体４２が構造体１４上に全体的に平行な配置でアンカー留めされる。この支持体は例えば、屋根の勾配に対して横断方向にまたは平行にすることもができる。太陽光集光器の有効表面積を増加させるためなどの、複数の段または列が可能である。この支持体４２は、位置決め可能なアンカー５６または他の取り付け機器の、支持体４２の長さに沿った摺動を可能にしかつ調整を可能にするためなどの、レールおよび／または井桁を含むのが望ましい。支持体４２は、調整を可能にするためなどの、構造体１４に装着するための複数の穴を含むことができる。
【００１５】
図２に示すように、かつ一実施形態によれば搭載バー４４を、１つまたは複数のアンカー３４で支持体４２に装着し、アンカー留めし、取り付けかつ／または固定することができる。搭載バー４４は、任意の適切な形状、材料、数および／またはサイズ、例えば正方形の穴のある形態を含むことができる。ボルト、ナット、ワッシャー、コネクタおよび／または留め具などの任意の適切なアンカー３４を支持体を搭載するために使用できる。このアンカー３４は、永久的、半永久的、一時的かつ／または脱着可能であることができる。このアンカー３４は、位置決めアンカー５６と対合させまたは組み合わせるのが望ましい。代替としてこのアンカー３４は、支持体４２とともに、かつ／または支持体４２に搭載するために必要な全ての機器を含む。この搭載バー４４は、搭載を容易にし、修正を可能にしかつ／または設置のための調整を提供するためなどの、１つのスロット（溝孔）または複数の孔を含むことができる。この搭載バー４４は、支持体４２に対して少なくとも全体的に直角に取り付けられるのが望ましいが、必ずしも必須ではない。
【００１６】
図３に示すように、かつ一実施形態によれば枠１０は、ソーラーモジュール１８を形成するためなどのソーラーパネル１６の少なくとも一部分を取り囲むかつ／または保持する。この枠１０は、木材、金属および／またはプラスチックなどの任意の適切な材料を含むことができる。一実施形態によればこの枠１０は、射出成型器具などの一体化プラスチック部材を含む。ソーラーパネル１６は、シリコンウエハを有するなどの、太陽光放射線の少なくとも一部分を収集するための任意の適切な機器を含む。この枠１０は、インサート成形によるなどの、ソーラーパネル１６を封入するための熱可塑性材料から形成できるのが望ましいが、必ずしも必須ではない。代替としてこの枠１０は、各側面に対して１つまたは複数の別個の部材から作ることができる。この枠１０は、第１の側面２６および第２の側面２８を含む。第１の側面２６は、第２の側面２８に対して少なくとも全体的に対向するのが望ましいが、必ずしも必須ではない。第１の側面２６は、第２の側面２８に対して少なくとも全体的に平行であることができる。
【００１７】
第１の側面２６は、搭載バー４４および／または別の枠１０と係合、部分的に重なり合うかつ／または結合するためなどの、１つまたは複数のタブ３０を含むことができる。用語「部分的に重なり合う」は、一般に１つの品目の少なくとも一部分が第２の品目の少なくとも一部分の上にかつ／または下に配設されていることを呼ぶ。代替としてタブ３０は、枠１０の一部分内に挿入することができる。任意の適切な数および／または形状のタブ３０が可能である。タブ３０は、枠１０の片側上などに、適切なさねはぎ構造（図示せず）を含むこともできる。タブ３０は、設置かつ／または展開中に搭載バー４４に対して上下に摺動させることによってなど、調整を可能にするのが望ましい。一実施形態では枠１０のこの調整は、タブ３０間の間隔をあけることによって少なくとも部分的に行われる。
【００１８】
一実施形態によれば、第１の側面２６は、第１の端部に配置される第１のタブ、中間区画に配置される第２のタブおよび第２の端部に配置される第３のタブなどの３つのタブ３０を含む。このタブ３０がそれらの間に第１の支持体５８および第２の支持体６０を受けるのが望ましいが、必ずしも必須ではない。第１の支持体５８は、第２の支持体６０に対して全体的に平行に構造体に装着することができる。図３Ａに示すようにこのタブ３０は、枠１０に対する取り付けを容易にするためのリップ（唇上部）５０を有するなどの、第１の側面２６と対向する先端部４８を含むことができる。このリップ５０は、搭載バー４４の幅および／または別の枠１０の第２の側面２８の幅をわずかに越えて全体的に延びる。リップ５０は、対合する形状と係合するためにわずかに高くされるのが望ましい。
【００１９】
第２の側面２８は、アンカー３４を受けるためのスロット（溝孔）３８などの、１つまたは複数の搭載要素３２を含むことができる（以下の図５の説明を参照）。約２個などの、任意の数の搭載要素３２が可能である。タブ３０と組み合わされた搭載要素３２が、ソーラーモジュール１８当たり２個を越えないアンカー３４でなどで、構造体１４へのソーラーモジュール１８の迅速な設置を可能にし、かつ／または提供するのが望ましい。他の実施形態では、枠１０を支持体４２に固定するために任意の適切な数のアンカー３４を使用できる。搭載要素３２は、スロット３８の頂部から底部までなどの、調整を可能にすることができる。
【００２０】
一実施形態によれば枠１０は、どのような追加の搭載機器および／または他のレールもなしに、構造体１４にこの支持体４２およびアンカー３４によって搭載される。具体的には１つの枠１０が、別の枠１０に当接かつ／または直接接触する。機器が減少する構造は、例えば屋根貫通のより少ない合計数とともに、より簡単な展開および設置を提供することができる。
【００２１】
図４に示すようにかつ一実施形態によれば、枠１０の第１の側面２６上のタブ３０は搭載バー４４と係合し、かつ／または搭載バー４４の下を摺動する。搭載要素３２は、複数の孔４０を含むことができる。図４は例えば、搭載バー４４に取り付けられたソーラーモジュール１８を示す。
【００２２】
図５に示すようにかつ一実施形態によれば、搭載要素３２と組み合わされたかつ／または搭載要素３２に対するアンカー３４は、第２の側面２８を支持体４２に装着しかつ／または取り付ける。図５は、アンカー３４によって装着されたモジュール１８の第２の側面２８を示す。
【００２３】
図６に示すようにかつ一実施形態によれば、第２の枠１２は、枠１０の隣にかつ／または隣接して展開しかつまたは位置決めすることができ、これらの枠は、第１のソーラーモジュール２０および第２のソーラーモジュール２２からなどである。第２のソーラーモジュール２２のタブ３０は、第１のソーラーモジュール２０が搭載バー４４と係合するのに対応するまたは同様な方式でなどで、第１のソーラーモジュール２０と係合かつ／または部分的に重なり合うことができるのが望ましい。
【００２４】
図７に示すようにかつ一実施形態によれば、枠１０および第２の枠１２の底部および／または下側は、互いに対する垂直な位置合わせのためなどの、案内部３６の助けおよび／または使用によって互いに係合することができる。案内部３６は、設置を助けるための隆起、突起、ナブ、スロット、凹部および／または任意の他の適切な構造を含むことができる。案内部３６は、第２の枠１２の下側表面４６に配置または位置決めされ、例えば、タブ３０によって追加のソーラーモジュール５２を隣接するソーラーモジュール５４に対して設置するかつ／または配置するのを助けるかつ／または助勢するのが望ましいが、必ずしも必須ではない。枠１０および／または第２の枠１２上の、案内部３６のための他の場所も可能である。長さを増加させるためなどの、追加の支持体４２を必要に応じて加えることができる。
【００２５】
図８〜９に示すようにかつ一実施形態によれば、第１のソーラーモジュール２０および第２のソーラーモジュール２２は、ソーラー組立体２４を形成するように結合する。有効な太陽光線収集面積を増加させアレー６２を形成するためなどの、任意の適切な数の追加のソーラーモジュール５２を、隣接するソーラーモジュール５４に加えることができる。この組立体２４は、ソーラーパネル１６の複数の列および／または並び（バンク）を含むことができる。直列および／または並列構成でなどの１つまたは複数の電気接続部を、組立体２４のソーラーパネル１６に対しておよび／またはその間に完成させることができる。代替として、追加の搭載バーを例えば、４つ毎のモジュールの間などの任意の適切な場所でソーラー組立体２４内に含めることができる。
【００２６】
一実施形態によれば、本発明はソーラーパネルを構造体に搭載するための枠を含む。この枠は第２の枠または搭載バーに係合するための１つまたは複数のタブを含む第１の側面、および枠を構造体上の支持体に装着するためのアンカーを受けるための少なくとも１つの搭載要素を含む第２の側面とを有する。この枠は、第２の枠を第２の側面に対して位置合わせするための少なくとも１つの案内部を含むことができる。搭載要素は、第２の側面内に形成されるスロットまたは複数の孔を含むことができる。
【００２７】
一実施形態によれば本発明は、構造体に搭載するためのソーラーモジュールを含む。このモジュールは、ソーラーパネルおよびソーラーパネルの少なくともの一部分を取り囲む枠を含む。この枠は、第１の側面および第２の側面を含み、第１の側面は第２のソーラーモジュールまたは搭載バーと係合するための１つまたは複数のタブを含み、第２の側面は、ソーラーモジュールを構造体上の支持体に装着するためのアンカーを受けるための少なくとも１つの搭載要素を含む。
【００２８】
このモジュールは、第２のソーラーモジュールを第２の側面に対して位置合わせするための少なくとも１つの案内部を含むことができる。この案内部は、モジュールを勾配のあるまたは急勾配の屋根に設置する間、構造体に装着される支持体上にソーラーモジュールを垂直に捕捉することによってなど、設置中にソーラーモジュールを展開させるのを助けることもできる。モジュール展開は、一人の作業者が助勢なしで働くことができるようにするのが望ましい。代替として、モジュール展開は、２人の作業者がさらにより迅速に働くことができるようにするのが望ましい。この展開はアンカーを支持体に連結することを含むが、例えば電気ドリルによってなど案内部を係合しアンカーを単に締め付けるために、モジュールを摺動させて水平および垂直にの両方で所定の位置に入れるのに十分に緩いままにしておくことができる。
【００２９】
第１の側面は、第１の支持体および第２の支持体を交互にその間に受けるように間隔をあけて配置される３つのタブを含むことができる。１つまたは複数のタブは、モジュールの下側表面および／または底部から突起し、搭載バーまたは第２のソーラーモジュールに固定するためのリップを有する、第１の側面と対向する先端部を含むことができる。この搭載要素は、追加の調整を可能にするためなどの、第２の側面内に形成されるスロットまたは複数の孔を含むことができる。
【００３０】
一実施形態によれば、本発明は構造体に搭載するためのソーラー組立体を含む。この組立体は、構造体に装着するための少なくとも１つの支持体と、この少なくとも１つの支持体に装着するための少なくとも１つの搭載バーと、この搭載バーと係合する１つまたは複数のタブを含む第１の側面を有する第１のソーラーモジュールと、アンカーを受けるための少なくとも１つの搭載要素を含む第２の側面とを含む。少なくとも１本のアンカーが、第１のソーラーモジュールの各搭載要素を少なくとも１つの支持体に取り付ける。
【００３１】
このソーラー組立体は、第１のソーラーモジュールの第２の側面と係合する１つまたは複数のタブを含む第１の側面を有する第２のソーラーモジュールと、アンカーを受けるための少なくとも１つの搭載要素を含む第２の側面とを含むことができる。少なくとも１本のアンカーは、第２のソーラーモジュールの各搭載要素を少なくとも１つの支持体に取り付ける。第２のソーラーモジュールは、第２のソーラーモジュールを第１のソーラーモジュールに対して位置合わせする少なくとも１つの案内部を含むことができる。
【００３２】
この組立体は、隣接するソーラーモジュールの第２の側面と係合する１つまたは複数のタブを含む第１の側面とアンカーを受けるための少なくとも１つの搭載要素を含む第２の側面とを有する、第２のソーラーモジュールに対して配設される少なくとも１つの追加のソーラーモジュールをさらに含むことができる。少なくとも１本のアンカーが、各追加のソーラーモジュールの各搭載要素を少なくとも１つの支持体に取り付ける。一実施形態によれば、各ソーラーモジュールは隣接するモジュールまたは搭載バーから分離し、かつ隣接するモジュールの位置を乱す必要はない。一実施形態によれば、各ソーラーモジュールは、２本を越えないアンカーで少なくとも１つの支持体に取り付けられる。
【００３３】
一実施形態によれば本発明は、ソーラーモジュールのアレーを構造体に搭載するかつ／または設置する方法を含む。この方法は、少なくとも１つの支持体を構造体に取り付けるステップと、少なくとも１つの搭載バーを少なくとも１つの支持体に取り付けるステップと、第１のソーラーモジュールの第１の側面からの少なくとも１つのタブを少なくとも１つの搭載バーと係合させるステップと、第１のソーラーモジュールの第２の側面を、少なくとも１本のアンカーによって第２の側面内の搭載要素で少なくとも１つの支持体に取り付けるステップと、第２のソーラーモジュールの第１の側面からの少なくとも１つのタブを第１のソーラーモジュールの第２の側面と係合させるステップと、第２のソーラーモジュールの第２の側面を、少なくとも１本のアンカーによって第２の側面内の搭載要素で少なくとも１つの支持体に取り付けるステップとを含む。
【００３４】
この方法は、少なくとも１つの追加のソーラーモジュールの第１の側面からの少なくとも１つのタブを隣接するソーラーモジュールの第２の側面と係合させ、少なくとも１つの追加のソーラーモジュールの第２の側面を、少なくとも１本のアンカーによって第２の側面内の搭載要素で取り付けるステップをさらに含むことができる。この方法は、第１のソーラーモジュールの第２の側面上の少なくとも１つの案内部によって、第２のソーラーモジュールを第１のソーラーモジュールの第２の側面と位置合わせさせるステップをさらに含むことができる。
【００３５】
この方法は、１つまたは複数のモジュールを少なくとも１つの支持体上に展開させるステップをさらに含むことができる。この展開は、支持体に取り付けるために所定の位置に移動させる前に、ソーラーモジュールを支持体係合させるかつ／または支持体上に置くための案内部を使用することを含むことができる。この方法は、隣接するソーラーモジュールの位置を乱す必要なしにソーラーモジュールを取り外すステップをさらに含むことができる。モジュールを取り外すステップは、選択されたモジュールに対しアンカーを緩めるまたは取り外すステップと、選択されたモジュールの第２の側面を持ち上げるステップと、選択されたモジュールの第１の側面を隣接するモジュールまたは搭載バーから離して摺動させるステップとを含むことができる。この方法は、各ソーラーモジュールを、互いに、蓄電池に、分配システムに、かつ／または電流フローのための任意の他の適切な機構に電気的に接続するステップをさらに含むことができる。
【００３６】
上記でかつ／または特許請求の範囲で述べるステップの順番は、好ましくかつ／または有益であり得るが、ステップの順序および／または頻度を限定するかつ／または必要とすると見なすべきではない。
【００３７】
前述の明細書中で、本発明は特定の好ましい実施形態と関連して説明してき、かつ多くの詳細が説明の目的で記載されているが、本発明は追加の実施形態を許容し、この明細書および特許請求の範囲で説明されるいくつかの詳細は、本発明の基本的な原理から逸脱することなくかなり変更できることは当業者には明らかであろう。
【符号の説明】
【００３８】
１０  枠
１２  第２の枠
１４  構造体
１６  ソーラーパネル
１８  ソーラーモジュール
２０  第１のソーラーモジュール
２２  第２のソーラーモジュール
２４  ソーラー組立体
２６  第１の側面
２８  第２の側面
３０  タブ
３２  搭載要素
３４  アンカー
３６  案内部
３８  スロット
４２  支持体
４４  搭載バー
４６  下側表面
４８  先端部
５０  リップ
５２  追加のソーラーモジュール
５４  隣接するソーラーモジュール
５８  第１の支持体
６０  第２の支持体
６２  アレー
【図１】
2010045346.tif 000003
【図１Ａ】
2010045346.tif 000004
【図２】
2010045346.tif 000005
【図３】
2010045346.tif 000006
【図３Ａ】
2010045346.tif 000007
【図４】
2010045346.tif 000008
【図５】
2010045346.tif 000009
【図６】
2010045346.tif 000010
【図７】
2010045346.tif 000011
【図８】
2010045346.tif 000012
【図９】
2010045346.tif 000013
【外国語明細書】
2010045346000001.pdf